(57)【要約】【課題】缶入り商品を回転するための装置以外に、電磁誘導コイルの冷却装置を制御する必要がなく、構造が簡単で安価に製造することができる缶入り商品加熱装置を提供する。【解決手段】本発明の缶入り商品加熱装置は、缶入り商品を電磁誘導方式によって加熱するものであり、缶飲料１１を載置する載置台６と、載置台６を回転させるモータ機構８と、缶飲料１１の外側に設けられた電磁誘導コイル３とを備えており、載置台６の凸部６ａには電磁誘導コイル３を冷却するための冷却ファン７が嵌合により取付けられている【選択図】図３
2010040294.tif 000002
【特許請求の範囲】
【請求項１】
円筒形の缶入り商品を電磁誘導方式によって加熱する缶入り商品加熱装置であって、
前記缶入り商品を載置する載置台と、該載置台を回転させる回転機構と、該缶入り商品の外側に設けられた電磁誘導コイルとを備え、該載置台を回転させる回転機構の回転軸には該電磁誘導コイルを冷却するための冷却ファンが取付けられていることを特徴とする缶入り商品加熱装置。
【請求項２】
前記缶入り商品を前記載置台に案内する内筒を有し、前記電磁誘導コイルは該内筒の外側に設けられていることを特徴とする請求項１記載の缶入り商品加熱装置。
【請求項３】
前記電磁誘導コイルの外側には外筒が設けられており、前記内筒と該外筒との間に冷却ファンからの風を該電磁誘導コイルに導く通路が形成されていることを特徴とする請求項１又は２記載の缶入り商品加熱装置。
【請求項４】
前記内筒の上端には上方に向かって径大となるテーパ部が設けられていることを特徴とする請求項１乃至３のいずれか１項記載の缶入り商品加熱装置。
【発明の詳細な説明】
【技術分野】
【０００１】
本発明は、コーヒー飲料等が充填されている缶入り商品を急速に温めるための缶入り商品加熱装置に関する。
【背景技術】
【０００２】
従来、コーヒー飲料等が充填されている缶入り商品を急速に温めるための缶入り商品加熱装置として、缶入り商品の周りに電磁誘導コイルを配置させて、缶入り商品を回転させながら電磁誘導コイルに高周波電流を流し、缶入り商品を急速に加熱する缶入り商品加熱装置が知られている（特許文献１、２）。
【０００３】
この装置によれば、スチール製の缶が誘導加熱によって直接加熱される。しかも、缶を回転させることによって缶の内容物が撹拌され、缶内側表面近傍で大きな温度傾斜が生じることから、缶内の内容物への熱の伝達が極めて迅速に行われる。このため、缶入り商品を急速に温めるためことができる。
【０００４】
【特許文献１】特開平２−１００７９１号公報
【特許文献２】特開平６−３６１３３号公報
【発明の開示】
【発明が解決しようとする課題】
【０００５】
上記従来の缶入り商品加熱装置では、電磁誘導コイルから発生する熱によって電磁誘導コイルやその周囲の配線等を損傷しないようにするため、電磁誘導コイルに電流が流れている間、電磁誘導コイルを冷却する必要がある。このため、缶入り商品を回転するための装置以外に、電磁誘導コイルを冷却するファン等の冷却装置を制御しなければならず、装置が複雑となるという問題があった。
【０００６】
本発明は、上記従来の問題点を解決するためになされたもので、缶入り商品を回転するための装置以外に、電磁誘導コイルの冷却装置を制御する必要がなく、構造が簡単で安価に製造することができる缶入り商品加熱装置を提供することを目的とする。
【課題を解決するための手段】
【０００７】
本発明の缶入り商品加熱装置は、円筒形の缶入り商品を電磁誘導方式によって加熱する缶入り商品加熱装置であって、前記缶入り商品を載置する載置台と、該載置台を回転させる回転機構と、該缶入り商品の外側に設けられた電磁誘導コイルとを備え、該載置台を回転させる回転機構の回転軸には該電磁誘導コイルを冷却するための冷却ファンが取付けられていることを特徴とする。
【０００８】
本発明の缶入り商品加熱装置では、缶入り商品を載置台に載置し、電磁誘導コイルに高周波電流を流すことにより、缶自体が発熱し、効率よく缶の内容物を加熱することができる。また、回転機構を駆動して載置台を回転させることにより、缶が回転して缶の内容物が撹拌され、缶内側表面近傍で大きな温度傾斜が生じるため、発熱した缶から缶内の内容物への熱の伝達が極めて迅速となる。
さらには、該載置台を回転させる回転機構の回転軸には電磁誘導コイルを冷却するための冷却ファンが取付けられているため、載置台の回転に連動して冷却ファンが自動的に回転し、電磁誘導コイルを冷却することができる。このため、冷却ファンのための制御装置をわざわざ設ける必要がなく、構造が簡単で安価に製造することができる。
【０００９】
また、本発明の缶入り商品加熱装置では、缶入り商品を載置台に案内する内筒を有し、電磁誘導コイルは内筒の外側に設けられていることが好ましい。こうであれば、缶入り商品は内筒によって自動的に案内され、缶入り商品を確実に載置台に載置することができる。また、缶入り商品を載置台に載置する際、缶入り商品が電磁誘導コイルと衝突して断線などの不具合が生じることを防止することができる。
【００１０】
また、電磁誘導コイルの外側には外筒が設けられており、前記内筒と該外筒との間に冷却ファンからの風を該電磁誘導コイルに導く通路が形成されていることが好ましい。こうであれば、冷却ファンからの風によって電磁誘導コイルを確実に冷却することができるとともに、外筒が電磁誘導コイルのカバーも兼ねることとなり、やけど防止や感電防止等の安全性も確保できる。
【００１１】
また、内筒の上端に、上方に向かって径大となるテーパ部を設けることもできる。こうであれば、缶入り商品がテーパ部によって内筒内に自動的に案内されることとなり、缶入り商品の載置台への載置がさらに容易かつ確実に行うことができる。
【発明を実施するための最良の形態】
【００１２】
以下、本発明を具体化した実施例の缶入り商品加熱装置について図面を参照しつつ詳述する。
（実施例１）
実施例１の缶入り商品加熱装置は、コンビニエンスストア等において缶飲料を温めるためのものである。この缶入り商品加熱装置は、図１に示すように、底を有し上端が広がってテーパ状に開放された略円筒形の外筒１と、外筒１の内側に同軸で配置された底の無い内筒２とを備えた２重構造とされている。
【００１３】
内筒２の上端は、上方に向かって径大となるテーパ部２ａが設けられており、テーパ部２ａの下端から下方に向かって円筒部２ｂが延在している。円筒部２ｂの外側には電磁誘導コイル３が巻かれており、電磁誘導コイル３の上端及び下端の位置には固定リング４，５が円筒部２ｂに嵌合されており、固定リング４，５から径外方向に突出する凸部４ａ，５ａが外筒１に固定されている（図１及び図２参照）。
【００１４】
内筒２の下方には、底の浅い円筒容器形状の載置台６が設けられており、載置台６の中央は下方に突出する凸部６ａを有している。凸部６ａには冷却ファン７が嵌合されており、図示しないモータ及びギアからなるモータ機構８の軸８ａが凸部６ａの軸心に挿通されてボルト９によって固定されており、載置台６と冷却ファン７とがモータ機構８の駆動によって供に回るようになっている。
【００１５】
外筒１の下端には、空気口１ａが設けられており、外筒１と内筒２とによって空気流路１０が形成されている。
【００１６】
次に、以上のように構成された実施例１の缶入り商品加熱装置を用いて缶入り商品を加熱する方法について説明する。
図３に示すように、まず缶飲料１１を内筒２のテーパ部２に挿入して手を放すことにより、缶飲料１１は内筒２によって案内され、自動的に載置台６の上に載置される。そして、モータ機構８を駆動させて載置台６及び冷却ファン７を回転させるとともに、図示しないインバータ回路を介して電磁誘導コイル３に高周波電流を流す。これにより、金属からなる缶飲料１１の缶に誘導電流が流れて発熱する。ここで、缶飲料１１はモータ機構８の駆動によって載置台６とともに回転するため、これによって缶飲料１１の内容物が撹拌され、缶内側表面近傍で大きな温度傾斜が生じ、発熱した缶から缶内の内容物への熱の伝達が極めて迅速となる。このため、短時間で缶飲料１１を加熱することができる。
【００１７】
一方、載置台６の凸部６ａに嵌合された冷却ファン７が載置台６とともに回転することにより、空気口１ａから空気が取り込まれ、空気流路１０を通って上方に空気が流れ、電磁誘導コイル３が冷却される。このため、冷却ファン７のための制御装置をわざわざ設けなくても、載置台６の回転とともに、自動的に電磁誘導コイル３が冷却される。このため、電磁誘導コイル３の冷却ファン７の制御が不要となる。
【００１８】
この発明は、上記発明の実施形態の説明に何ら限定されるものではない。特許請求の範囲の記載を逸脱せず、当業者が容易に想到できる範囲で種々の変形態様もこの発明に含まれる。
【産業上の利用可能性】
【００１９】
載置台に電磁誘導コイルを冷却するための冷却ファンを取付けることによって、電磁誘導コイルの冷却装置を制御する必要がなくなり、構造が簡単で安価に製造することができる缶入り商品加熱装置として、コンビニエンスストア等での缶飲料を１本ずつ加熱するのに利用することができる。
【図面の簡単な説明】
【００２０】
【図１】実施例１の缶入り商品加熱装置の断面図である。
【図２】図１におけるII−II矢視断面図である。
【図３】実施例１の缶入り商品加熱装置に缶入り商品を入れるときの状態を示す断面図である。
【符号の説明】
【００２１】
１１…缶飲料（缶入り商品）
６…載置台
８…モータ機構（回転機構）
８ａ…回転軸
３…電磁誘導コイル
７…冷却ファン
１０…通路
２…内筒
１…外筒
２ａ…テーパ部
【図１】
2010040294.tif 000003
【図２】
2010040294.tif 000004
【図３】
2010040294.tif 000005